(57)【特許請求の範囲】
【請求項１】
両端面を開口したスイッチボディの内面に凸部叉は凹部のいずれか一方を設け、スイッチノブを可撓性を有し基端面を開口した筒型に成形すると共に基端部外面に前記凸部叉は凹部のいずれか他方を設け、スイッチノブの基端部をスイッチボディの一端開口側から同ボディに挿入し基端部の内側への撓みにより前記凸部を前記凹部に回転可能に嵌合してスイッチノブをスイッチボディに揺動可能に組付け、ついで前記スイッチボディの他端開口側からホルダーを挿入してスイッチノブの基端部内側に嵌合したことを特徴とするシーソースイッチ装置。
【請求項２】
前記スイッチノブの前記凸部叉は凹部を設けた面と略直交する面に凹部を設け、前記ホルダーに該凹部に嵌合する凸部を設けたことを特徴とする請求項１に記載のシーソースイッチ装置。
【発明の詳細な説明】
【０００１】
【発明の属する技術分野】
本発明はシーソースイッチ装置に関する。
【０００２】
【従来の技術】
シーソースイッチ装置の一形式として、スイッチボディに凸部叉は凹部のいずれか一方を設け、スイッチノブに凸部叉は凹部のいずれか他方を設け、凸部を凹部に回転可能に嵌合してスイッチノブをスイッチボディに揺動可能に組付けたものが知られている。
【０００３】
【発明が解決しようとする課題】
この種のシーソースイッチ装置では、スイッチノブの回動軸心と平行に同ノブ先端に荷重が加えられたとき、スイッチボディが撓んでスイッチノブの回動軸心となる凸部と凹部の嵌合が外れることのないように、凸部の突出寸法を定めているが、凸部と凹部の嵌合部からノブ先端までの寸法を長くすると、スイッチボディに加わる荷重が増大して撓み易くなるので、凸部の突出寸法も長くする必要が生じ、その結果、スイッチボディにスイッチノブを組付ける作業が困難になる。本発明はかかる点に鑑み、スイッチノブのスイッチボディへの組付が容易なシーソースイッチを提供することを目的とする。
【０００４】
【課題を解決するための手段】
請求項１に記載の発明は、シーソースイッチ装置において、両端面を開口したスイッチボディの内面に凸部叉は凹部のいずれか一方を設け、スイッチノブを可撓性を有し基端面を開口した筒型に成形すると共に基端部外面に前記凸部叉は凹部のいずれか他方を設け、スイッチノブの基端部をスイッチボディの一端開口側から同ボディに挿入し基端部の内側への撓みにより前記凸部を前記凹部に回転可能に嵌合してスイッチノブをスイッチボディに揺動可能に組付け、ついで前記スイッチボディの他端開口側からホルダーを挿入してスイッチノブの基端部内側に嵌合したことを特徴とする。
請求項２に記載の発明は請求項１に記載のシーソースイッチ装置において、前記スイッチノブの前記凸部叉は凹部を設けた面と略直交する面に凹部を設け、前記ホルダーに該凹部に嵌合する凸部を設けたことを特徴とする。
【０００５】
【発明の作用・効果】
請求項１に記載の発明によれば、スイッチノブに可撓性をもたせ、スイッチノブの基端部をスイッチボディに挿入するとき基端部が内側に撓むのを利用して凸部を凹部に嵌合し、ついでホルダーをスイッチノブの基端部内側に嵌合するので、スイッチノブの回動軸となる凸部の突出寸法を大きく設定し、スイッチボディを撓み難い厚肉に成形して凸部と凹部の嵌合を外れ難くしても、スイッチノブのスイッチボディへの組付作業が容易である。
請求項２に記載の発明によれば、スイッチボディの凸部叉は凹部に嵌合するスイッチノブの凸部叉は凹部と、ホルダーの凸部が嵌合するスイッチノブの凹部を互いに直交する面に設けたので、スイッチノブの基端部の内側への撓みを利用してスイッチノブの凸部叉は凹部をスイッチボディの凸部叉は凹部に嵌合し、スイッチノブの基端部の外側への撓みを利用してスイッチノブの凹部にホルダーの凸部を嵌合させることができる。このためスイッチボディとスイッチノブ及びスイッチノブとホルダーを相互に緊密に組付けることができる。
【０００６】
【発明の実施の形態】
以下に本発明を図面に基づき説明するに、図１ないし図４には本発明の一実施形態に係るシーソースイッチ装置が示されている。当該シーソースイッチ装置１０はスイッチボディ２０、スイッチボディ２０に揺動可能に組付けた左右対称形状を有する一対のスイッチノブ３０、各スイッチノブ３０に組込まれたホルダー４０及びスイッチボディ２０の裏面開口を覆蓋する裏蓋５０を備えている。
スイッチボディ２０は前後両面を開口した長方形の箱型を有し、内部に仕切壁２１が設けられ、仕切壁２１に左右一対の６角穴２２が形成されている。スイッチボディ２０の内壁上部に左右一対の凸部２３が設けられ、内壁下部に左右一対の円形凹部２４が設けられている。各凸部２３は断面円形を有し、先端部が斜めに切欠かれている。凸部２３と凹部２４はその中心が一致するように内壁の上下に配置されている。
【０００７】
スイッチノブ３０は基端面を四角に開口し、先端部を先細りにした筒形状を有し、スイッチボディ２０に比べて薄肉に成形して可撓性が与えられている。基端部の外壁上部にスイッチボディ２０の凸部２３が回転可能に嵌合する凹部３１が設けられ、基端部の外壁下部にスイッチボディ２０の凹部２４に回転可能に嵌合する断面円形の凸部３２が設けられている。この凸部３２の先端部はスイッチボディ２０の凸部２３と同じように斜めに切欠かれている。スイッチノブ３０の基端部の左右の側壁にはそれぞれ四角の凹部３３が通孔状に形成されている。また、スイッチノブ３０の内部にはリブ３４が設けられている。
【０００８】
ホルダー４０は前面を開口した略６角形の箱型形状を有し、後面に通孔４１が形成されている。後面の下端部中央に凸片４２が設けられ、凸片４２の左右両側にスイッチ押圧片４３が設けられている。凸片４２の先端には山形の切欠部４４が形成されている。スイッチ押圧片４３の上端部には半球状のスイッチ押圧子４５が形成されている。ホルダー４０の左右の側壁にはスイッチノブ３０の四角の凹部３３に嵌合する凸部４６が設けられている。
裏蓋５０には回路基板５１が組付けられ、回路基板５１にスイッチ５２、発光素子５３等が取付けられている。また、裏蓋５０には小径筒部５４が設けられ、筒部５４にボール５５とスプリング５６が装着されている。
【０００９】
シーソースイッチ装置１０の各部の構造は以上の通りであって、以下の手順に従って組立てられている。
まず、スイッチノブ３０の凹部３１と凸部３２を設けた基端部をスイッチボディ２０の前面からリブ３４に当たるまで挿入する。このとき可撓性を有するスイッチノブ３０の基端部が内側に撓むことを利用して凹部３１にスイッチボディ２０の凸部２３を回転可能に嵌合し、凸部３２をスイッチボディ２０の凹部２４に回転可能に嵌合させる。しかる後に、ホルダー４０をスイッチボディ２０の後面開口から仕切壁２１の六角穴２２を通してスイッチノブ３０の基端部に嵌合する。このとき、スイッチノブ３０の四角の凹部３３を設けた部位が外側に撓み、ホルダー４０の凸部４６が凹部３３に嵌合する。
スイッチボディ２０にスイッチノブ３０とホルダー４０を組付けた後、回路基板５１とともに裏蓋５０をスイッチボディ２０の後面開口端に嵌合して覆蓋する。これにより、裏蓋５０の小径筒部５４に装着したボール５５がスプリング５６でホルダー４０の凸片４２先端の切欠部４４に圧接し、スプリング５６の力で各ノブ３０が中立位置に保持される。
【００１０】
本実施形態に係るシーソースイッチ装置１０の構造及び組付手順は以上の通りであって、スイッチノブ３０を図１の矢印方向に操作すると、同ノブ３０が凸部２３，３２と凹部２４，３１の嵌合部を軸心にして左右に揺動し、スイッチ５２が押圧子４５に押されて開閉する。
本実施形態に係るシーソースイッチ装置１０よれば、スイッチノブ３０を薄肉に成形して可撓性をもたせ、スイッチボディ２０への挿入時、スイッチノブ３０の基端部が内側に撓むのを利用して凹部３１と凸部３２をスイッチボディの凸部２３と凹部２４に嵌合し、しかる後にホルダー４０をスイッチノブ３０の基端部内側に嵌合するので、スイッチボディ２０とスイッチノブ３０の凸部２３，３２の突出寸法を大きくして凸部２３，３２と凹部２４，３１の嵌合を外れ難くしても、凸部２３，３２と凹部２４，３１の組付が容易であり、組付の作業性が向上する。
また、スイッチノブの凹部３１と凸部３２と、ホルダー４０の凸部４６が嵌合する四角の凹部３３を互いに直交する面に設けたので、スイッチノブ基端部の内側への撓みを利用して凹部３１と凸部３２をスイッチボディの凸部２３と凹部２４に嵌合させ、基端部の外側への撓みを利用してスイッチノブの凹部３３にホルダーの凸部４６を嵌合させることができる。このため、スイッチボディ２０とスイッチノブ３０及びホルダー４０を相互に緊密に組付けることができる。
【図面の簡単な説明】
【図１】  本発明の一実施形態に係るシーソースイッチ装置を示す、一部破断した平面図である。
【図２】  図１の２−２線から切断した断面図である。
【図３】  図２の３−３線から見た断面図である。
【図４】  同シーソースイッチ装置を構成するスイッチボディとスイッチノブ及びホルダーを示す分解斜視図である。
【符号の説明】
１０…シーソースイッチ装置、２０…スイッチボディ、２３…凸部、２４…凹部、３０…スイッチノブ、３１…凹部、３２…凸部、３３…凹部、４０…ホルダー、４６…凸部。
【図１】
0003832601.tif 000002
【図２】
0003832601.tif 000003
【図３】
0003832601.tif 000004
【図４】
0003832601.tif 000005